(57)【要約】      （修正有）【課題】ユーザ側の使い勝手に応じて、イベント報知画面の自動切替表示を解除する防災表示装置を提供する。【解決手段】建物に設置された各種の端末機器でイベントが発生したときに送信されるイベント情報に基づいて建物内の状況を表示する表示手段１５と、受信したイベント情報を履歴情報として記憶する記憶手段１３とを備える。イベント情報を受信すると、そのイベント発生元の端末機器のシンボルを、その他の端末機器のシンボルとは異なる様態で示した、設置エリアのイメージ画像であるイベント報知画面を、各種の画面を表示可能に構成された表示手段の所定のグラフィックエリアに、自動的に切替表示する。イベント報知画面の自動切替表示は、自動切替表示設定用画面により解除可能に構成される。【選択図】図１
2016139219.tif 000002
【特許請求の範囲】
【請求項１】
建物に設置された各種の端末機器でイベントが発生したときに送信されるイベント情報に基づいて前記建物内の状況を表示する表示手段と、
受信したイベント情報を履歴情報として記憶する記憶手段とを備え、
イベント情報を受信すると、そのイベント発生元の端末機器のシンボルを、その他の端末機器のシンボルとは異なる様態で示した、設置エリアのイメージ画像であるイベント報知画面を、各種の画面を表示可能に構成された前記表示手段の所定のグラフィックエリアに、自動的に切替表示するように構成された防災表示装置において、
前記イベント報知画面の自動切替表示を解除可能に構成したことを特徴とする防災表示装置。
【請求項２】
前記イベント報知画面の自動切替表示の解除は、所定時間経過後にリセットされることを特徴とする請求項１記載の防災表示装置。
【請求項３】
操作入力に基づいて、受信したイベント情報を一覧表示するアラームリスト画面を、前記表示手段の所定のグラフィックエリアに表示可能に構成されていることを特徴とする請求項１又は２記載の防災表示装置。
【発明の詳細な説明】
【技術分野】
【０００１】
この発明は、防災表示装置に関する。
【背景技術】
【０００２】
従来この種の防災表示装置は、建物に設置された各種の端末機器が接続された火災受信機に接続され、火災受信機を介して、端末機器でイベントが発生したときに送信されるイベント情報を受信して、表示手段に建物内の状況を表示する。
【０００３】
例えば、防災表示装置は、イベント情報（例えば、火災信号）を受信すると、そのイベント発生元の端末機器のシンボルを、その他の端末機器のシンボルとは異なる様態で示した、設置エリアのイメージ画像（例えば、フロアの平面図）であるイベント報知画面（火災報知画面）を、表示手段の所定のグラフィックエリアに自動的に切替表示する（例えば特許文献１）。
【０００４】
この所定のグラフィックエリアは、イベント報知画面の他にも、各種画面が表示可能に構成されており、例えば、操作入力に基づいて、受信したイベント情報を一覧表示するアラームリスト画面を切替表示することが可能である。
【特許文献１】特開平５−２８３８０号公報
【発明の開示】
【発明が解決しようとする課題】
【０００５】
ところで、ユーザ（例えば、施工業者など）によっては、イベント報知画面の自動切替表示を解除して、イベント報知画面以外の画面を所定のグラフィックエリアに固定表示したいという要望がある。しかしながら、従来の防災表示装置において、イベント報知画面の自動切替表示は、ユーザ側の使い勝手に応じて解除することができなかった。
【０００６】
例えば、社内検査や官庁検査（消防検査）など、イベントが複数発生し錯綜した状況では、アラームリスト画面にて新旧イベントの確認を行いたい。しかしながら、従来の防災表示装置では、後続イベントが発生するとイベント報知画面が自動的に切替表示されてしまうので、画面の切り換わりのタイミングで発生したイベントを見逃してしまう可能性があり、結果として検査の進行に支障を来してしまう。
【０００７】
この発明は、ユーザ側の使い勝手に応じて、イベント報知画面の自動切替表示を解除することができるようにすることを目的とする。
【課題を解決するための手段】
【０００８】
この発明は、建物に設置された各種の端末機器でイベントが発生したときに送信されるイベント情報に基づいて前記建物内の状況を表示する表示手段と、受信したイベント情報を履歴情報として記憶する記憶手段とを備え、イベント情報を受信すると、そのイベント発生元の端末機器のシンボルを、その他の端末機器のシンボルとは異なる様態で示した、設置エリアのイメージ画像であるイベント報知画面を、各種の画面を表示可能に構成された前記表示手段の所定のグラフィックエリアに、自動的に切替表示するように構成された防災表示装置において、前記イベント報知画面の自動切替表示を解除可能に構成したことを特徴とする。
【０００９】
また、前記イベント報知画面の自動切替表示の解除は、所定時間経過後にリセットされることを特徴とする。
【００１０】
また、操作入力に基づいて、受信したイベント情報を一覧表示するアラームリスト画面を、前記表示手段の所定のグラフィックエリアに表示可能に構成されていることを特徴とする。
【発明の効果】
【００１１】
請求項１記載の発明によれば、前記イベント報知画面の自動切替表示を解除可能に構成したので、ユーザ側の使い勝手に応じて、イベント報知画面の自動切替表示を解除することができる。つまり、ユーザが、イベント報知画面の自動切替表示を解除することで、端末機器に関するイベント情報を受信する度に、所定のグラフィックエリアの表示が、イベント報知画面に自動的に切り替わってしまうことがなくなる。
【００１２】
また、請求項２記載の発明によれば、前記イベント報知画面の自動切替表示の解除は、所定時間経過後にリセットされるので、イベント報知画面の自動切替表示が有効な状態に自動復旧することができる。
【００１３】
また、請求項３記載の発明によれば、イベント報知画面の自動切替表示を解除して、アラームリスト画面を所定のグラフィックエリアに固定表示することができる。そのため、例えば、社内検査や官庁検査（消防検査）など、イベントが複数発生し錯綜した状況でも、アラームリスト画面にて新旧イベントの確認を行うことができる。
【図面の簡単な説明】
【００１４】
【図１】この発明の実施の形態に係る防災表示装置を組み込んだ防災システム全体の構成を示すブロック図。
【図２】図１のＣＲＴ表示部の画面の基本構成を示す図。
【図３】アラームリスト画面の表示例を示す図。
【図４】イベント報知画面の自動切替表示設定用画面の表示例を示す図。
【発明を実施するための形態】
【００１５】
以下、この発明の実施の形態を図に基づいて説明する。図１はこの発明の実施の形態に係る防災表示装置を組み込んだ防災システム全体の構成を示すブロック図、図２は図１のＣＲＴ表示部の画面の基本構成を示す図、図３はアラームリスト画面の表示例を示す図、図４はイベント報知画面の自動切替表示設定用画面の表示例を示す図である。
【００１６】
図１はこの発明の実施の形態に係る防災表示装置を組み込んだ防災システム全体の構成を示すブロック図である。図１において、１は防災表示装置、２は防災表示装置１が接続された火災受信機である。この防災表示装置１と火災受信機２は、一体化した構成としてもよい。
【００１７】
火災受信機２は、防災システム全体を統括するもので、建物内に設置された各種の端末機器、例えば煙感知器２０や熱感知器２１等の火災感知器、発信機２２、地区ベル装置２３、ガス漏れ検知器２４、防火戸２５や加圧排煙機２６や排煙機２７等の防排煙機器、消火ポンプ２８等が信号線を介して接続されている。
【００１８】
これら端末機器には、それぞれ固有のアドレスが付与されていて、火災受信機２はこれらアドレスをもって個々の端末機器を識別し、端末機器からのイベントに関する情報を収集し、その動作を制御する。
【００１９】
具体的には、火災受信機２には、端末機器間の連動データベースが設定されており、火災などが発生すると、火災感知器２０、２１などからの信号に応じて、連動関係にある防火戸２５などを制御したり、地区ベル装置２３を鳴動させる。
【００２０】
さらに、そういった端末機器の動作などに関するイベント情報を全て防災表示装置１に送信するようになっている。「イベント」とは、個々の端末機器自身に発生する諸々の事態であり、火災感知器２０、２１であれば火災発生の有無やその故障、防排煙機器２５、２６、２７であれば火災発生時の自己の動作や故障などが挙げられる。
【００２１】
防災表示装置１は、火災受信機２からのデータ信号を受けて、平常時及びイベント発生時に、所定の画面（画像）を表示し、現在の状況や警報を表示する。また、火災受信機２からの信号（情報）に応じて画像を表示するだけでなく、防災表示装置１における操作により、火災受信機２や、火災受信機２を介して端末機器の動作を制御することができる。
【００２２】
防災表示装置１は、図１に示すように、インターフェース部１１と、外部記録媒体駆動部１２と、記憶部１３と、画像出力部１４と、ＣＲＴ表示部１５と、操作入力部１６と、マウス１７と、インターフェース部１８、制御部１９とを備えている。また、防災表示装置１には、電源供給源として、ブレーカ４を介して接続された商用電源３と、予備電源装置５とが接続されている。
【００２３】
インターフェース部１１は、火災受信機２から送信される端末機器に関するイベント情報を受信し、また、各種制御情報を送信する。外部記録媒体駆動部１２は、外部記録媒体６に対して、各種情報の格納や読み出しを行う。
【００２４】
記憶部１３は、制御部１９を動作させる制御プログラムや処理プログラム、ＣＲＴ表示部１５に表示する各種画像データ、等が記憶される。この記憶部１３は、受信したイベント情報を履歴情報として記憶する機能も有し、防災システムにおいて発生したイベント情報を時系列で記憶する。
【００２５】
ＣＲＴ表示部１５は、画像出力部１４を介して出力される画像をＣＲＴに表示する。なお、表示部は必ずしもＣＲＴでなくともよく、ＬＣＤやプラズマ表示部等であってもよい。
【００２６】
操作入力部１６は、マウス１７が接続され、ＣＲＴ表示部１５の画面上にポインタを表示し、マウス１７の移動操作に基づいてそのポインタを移動し、クリック操作による入力を判別して制御部１９に通知する。インターフェース部１８は、ＬＡＮを介して副表示機３０と接続するためのインターフェース部である。
【００２７】
制御部１９は、防災表示装置１全体を制御する。例えば、制御部１９は、受信したイベント情報に基づいて、ＣＲＴ表示部１５に各種画面（画像）を切替、及び更新表示させる処理を行う。
【００２８】
図２は、図１のＣＲＴ表示部１５の画面の基本構成を示す図である。ＣＲＴ表示部１５の画面は、メニューバー表示エリア、時刻表示エリア、グラフィックエリア、平面キープランエリア、断面キープランエリア、防災用動力表示エリア、アラームリストエリア、消防活動支援エリア、及び基本表示操作エリアから構成されている。
【００２９】
メニューバー表示エリアは、各種のスイッチを表示するエリアであり、時刻表示エリアは現在の日時を表示するエリアである。
【００３０】
グラフィックエリアは、制御部１９の制御により、各種画面を切替表示可能なエリアであり、主に建物の各フロアのイメージ画像（例えば、平面図）を表示するエリアである。各フロアを表示する場合、フロアの概要とともに前述の端末機器がそれぞれ固有のシンボルで、設置されている実際の場所に対応するように表示される。
【００３１】
また、グラフィックエリアは、端末機器に関するイベント情報を受信すると、そのイベント発生元の端末機器のシンボルを、その他の端末機器のシンボルとは異なる様態で示した、設置エリアのイメージ画像（例えば、フロアの平面図）であるイベント報知画面６０を、自動的に切替表示するエリアである。
【００３２】
図２は、地下１Ｆ・地上３０Ｆの３棟（タワーＡ、Ｂ、Ｃ）の高層マンションにおいて、建物（タワーＡ）の２階に設置された２個の煙感知器２０に関するイベント情報（火災信号）を受信したときのイベント報知画面６０をグラフィックエリアに切替表示した例を示している。
【００３３】
このイベント報知画面６０（火災を発報したフロアの平面図）は、制御部１９の制御により、２個の煙感知器２０のシンボルが設置された２階平面図の画像データが記憶部１３から読み出されてグラフィックエリアに切替表示される。発報した２個の煙感知器２０のシンボル５１ａ、５１ｂは同一平面図上に配置されている他の端末機器のシンボルと識別できるように色を赤等に変化して点滅表示され、点滅表示のシンボルと同じ警戒区域（例えば同じ部屋）に配置されている炎シンボル５２ａ、５２ｂは赤等に変化して表示される。
【００３４】
また、グラフィックエリアは、メニューバー表示エリアに表示された各スイッチの選択操作による画面を表示するエリアであり、「アラームリスト」スイッチの操作により後述するアラームリスト画面７０を、「保守」スイッチの操作により後述するイベント報知画面６０の自動切替表示設定用画面８０を表示可能なエリアである。
【００３５】
平面キープランエリアは、制御部１９の制御により、グラフィックエリアに表示された平面図と同じフロアの縮小全体平面図（図示せず）をウィンドウ表示するエリアである。断面キープランエリアは、制御部１９の制御により、建物の全体の概略縦断面図をウィンドウ表示するエリアで、建物全体の階数が一目でわかるようになっている。具体的には、建物の各フロアに対応してフロア選択スイッチ５０が配列されたフロア選択ウィンドウ画面を表示するエリアであり、この各フロア選択スイッチ５０は、ユーザによる選択操作により、例えば、黒色反転表示に変化するとともに、対応するフロアの平面図がグラフィックエリアに表示される。
【００３６】
防災用動力表示エリアは、各種の端末機器のうち、排煙機２７、消火ポンプ２８で発生したイベント情報を個別表示するエリアであり、受信したイベント情報に基づいて、制御部１９の制御により、イベント情報が更新表示される。
【００３７】
アラームリストエリアは、各種の端末機器で発生したイベント情報を時系列に表示するエリアであり、受信したイベント情報に基づいて、制御部１９の制御により、イベント情報が更新表示される。なお、アラームリストエリアは、最新５個のイベント情報を表示可能な表示エリアであり、それ以前のイベント情報は、スクロール操作により、表示可能となっている。各イベント情報に関連して、イベント発生日時、端末機器名称、イベント内容、端末機器の設置場所、棟階番号が一覧表示可能である。
【００３８】
消防活動支援エリアは、消防活動の支援に要する各種スイッチを備える画像を表示するためのエリアであり、基本表示操作エリアは、火災断定、画面消去、復旧、音響停止等の各種スイッチを備える画像を表示するエリアである。
【００３９】
前述したように、メニューバー表示エリアに表示された「アラームリスト」スイッチを操作することで、制御部１９により、受信したイベント情報の一覧が記憶部１３から読み出されて、アラームリスト画面７０として、グラフィックエリアに表示可能である。ユーザは、受信したイベント情報の一覧を大画面で表示したい場合は、当該操作を行う。
【００４０】
図３はアラームリスト画面７０の表示例を示す図である。アラームリスト画面７０は、最新５０個程度のイベント情報を一覧表示可能であり、それ以前のイベント情報は、スクロール操作により、表示可能となっている。
【００４１】
また、メニューバー表示エリアに表示された「保守」スイッチを操作することで、制御部１９により、イベント報知画面６０の自動切替表示設定用画面８０が記憶部１３から読み出されて、グラフィックエリアに表示可能である。ユーザは、イベント報知画面６０の自動切替表示設定を変更したい場合は、当該操作を行う。
【００４２】
図４は、イベント報知画面６０の自動切替表示設定用画面８０の表示例を示す図である。自動切替表示設定用画面８０は、暗証番号入力フィールド８１と、自動切替表示オンスイッチ８２と自動切替表示オフスイッチ８３を備えており、初期状態では、自動切替表示オンスイッチ８２が選択状態を示すように反転表示されている。「自動切替表示オン」の設定状態は、記憶部１３に記憶されている。
【００４３】
ユーザによって、暗証番号入力フィールド８１に正確な暗証番号が入力され、自動切替表示オフスイッチ８３が操作されることによって、自動切替表示オフスイッチ８３が選択状態を示すように反転表示に切り替わり、制御部１９によって、「自動切替表示オフ」が設定されて、この設定状態が記憶部１３に記憶される。なお、暗証番号の入力は、必須としなくてもよい。
【００４４】
「自動切替表示オフ」が設定された以降は、イベント情報を受信しても、グラフィックエリアには、強制的にイベント報知画面６０（火災を発報したフロアの平面図）を切替表示しないので、その他の画面（例えば、アラームリスト画面７０）を選択操作することで、グラフィックエリアに固定表示することができる。
【００４５】
なお、図示しないタイマを備えるようにして、「自動切替表示オフ」の設定は、所定時間経過後にリセットされて、「自動切替表示オン」に自動復旧するようにしてもよい。
【００４６】
次に、上記のように構成された防災表示装置１における動作について説明する。防災システム内で火災が発生すると、火災を検出した火災感知器は火災信号を火災受信機２に送信する。これを受けて火災受信機２は、火災に関するイベント情報を防災表示装置１に出力する。防災表示装置１は、受信したイベント情報を履歴情報として記憶部１３に記憶するとともに、このイベント情報に対応して、ＣＲＴ表示部１５の表示を更新する。つまり、グラフィックエリアには、前述したイベント報知画面６０（火災報知画面）として、火災を検出した火災感知器のシンボルを、その他の端末機器とは異なる様態（例えば、赤色）に表示した、火災を発報したフロアの平面図が、強制的に切替表示される。
【００４７】
また、平面キープランエリアには、火災を発報したフロアの縮小全体平面図が表示され、断面キープランエリアには、火災を発報したフロアに対応するフロア選択スイッチ５０が他の階とは異なる背景色（例えば、赤色）で表示される。アラームリストエリアには、受信したイベント情報が一覧表示される。つまり、アラームリストには、図２には示していないが、アラームリストの最上段（１行目）に、先程発報した火災感知器に関連するイベント情報のみが表示される。
【００４８】
以降、防災表示装置１は、例えば延焼などにより、イベント情報を受信する度に、受信したイベント情報を履歴情報として記憶部１３に記憶するとともに、このイベント情報に対応して、ＣＲＴ表示部１５の表示を更新する。つまり、前述したとおり、グラフィックエリアには、強制的にイベント報知画面６０（火災を発報したフロアの平面図）が切替表示される。また、平面キープランエリアには、火災を発報したフロアの縮小全体平面図が表示され、断面キープランエリアには、火災を発報したフロアに対応するフロア選択スイッチ５０が他の階とは異なる背景色（例えば、赤色）で表示される。アラームリストエリアには、受信したイベント情報の一覧表示が更新される。
【００４９】
この状態で、イベント報知画面６０の自動切替表示を解除したい場合、ユーザが、メニューバー表示エリアに表示された「保守」スイッチを操作する。すると、図４に示すイベント報知画面６０の自動切替表示設定用画面８０が、グラフィックエリアに表示される。
【００５０】
ここで、ユーザは、暗証番号入力フィールド８１に正確な暗証番号を入力し、自動切替表示オフスイッチ８３を操作する。すると、自動切替表示オフスイッチ８３が選択状態を示すように反転表示に切り替わり、制御部１９によって、「自動切替表示オフ」が設定されて、この設定状態が記憶部１３に記憶される。
【００５１】
「自動切替表示オフ」が設定された以降は、イベント情報を受信しても、グラフィックエリアには、強制的にイベント報知画面６０を切替表示しないので、その後、例えば、アラームリスト画面７０を表示する操作を行うことにより、アラームリスト画面７０をグラフィックエリアに固定表示することができる。
【００５２】
以上、説明した通り、建物に設置された各種の端末機器でイベントが発生したときに送信されるイベント情報に基づいて前記建物内の状況を表示する表示手段（ＣＲＴ表示部１５）と、受信したイベント情報を履歴情報として記憶する記憶手段（記憶部１３）とを備え、イベント情報を受信すると、そのイベント発生元の端末機器のシンボル５１ａ、５１ｂを、その他の端末機器のシンボルとは異なる様態で示した、設置エリアのイメージ画像であるイベント報知画面６０を、各種の画面を表示可能に構成された前記表示手段１５の所定のグラフィックエリアに、自動的に切替表示するように構成された防災表示装置１において、前記イベント報知画面６０の自動切替表示設定用画面８０により、前記イベント報知画面６０の自動切替表示を解除可能に構成したので、ユーザ側の使い勝手に応じて、イベント報知画面６０の自動切替表示を解除することができる。つまり、ユーザが、イベント報知画面６０の自動切替表示を解除することで、端末機器に関するイベント情報を受信する度に、所定のグラフィックエリアの表示が、イベント報知画面６０に自動的に切り替わってしまうことがなくなる。
【００５３】
また、前記イベント報知画面６０の自動切替表示の解除は、所定時間経過後にリセットされるので、イベント報知画面６０の自動切替表示が有効な状態に自動復旧することができる。
【００５４】
また、操作入力に基づいて、受信したイベント情報を一覧表示するアラームリスト画面７０を、前記表示手段１５の所定のグラフィックエリアに表示可能に構成されているので、イベント報知画面６０の自動切替表示を解除して、アラームリスト画面７０を所定のグラフィックエリアに固定表示することができる。そのため、例えば、社内検査や官庁検査（消防検査）など、イベントが複数発生し錯綜した状況でも、アラームリスト画面７０にて新旧イベントの確認を行うことができる。
【符号の説明】
【００５５】
１  防災表示装置、２  火災受信機、３  商用電源、４  ブレーカ、５  予備電源装置、６  外部記録媒体、１１  インターフェース部、１２  外部記録媒体駆動部、１３  記憶部、１４  画像出力部、１５  ＣＲＴ表示部、１６  操作入力部、１７  マウス、１８  インターフェース部、１９  制御部、２０  煙感知器、２１  熱感知器、２２  発信機、２３  地区ベル装置、２４  ガス漏れ検知器、２５  防火戸、２６  加圧排煙機、２７  排煙機、２８  消火ポンプ、３０  副表示機、５０  フロア選択スイッチ、６０  イベント報知画面、７０  アラームリスト画面、８０  自動切替表示設定用画面、８１  暗証番号入力フィールド、８２  自動切替表示オンスイッチ、８３  自動切替表示オフスイッチ。
【図４】
2016139219.tif 000003
【図１】
2016139219.tif 000004
【図２】
2016139219.tif 000005
【図３】
2016139219.tif 000006